(57)【要約】【課題】給油の信頼性の高い圧縮機を提供する。【解決手段】スクロール圧縮機１０は、ケーシング２０と、ケーシング２０内の上部に配置されたスクロール圧縮機構６０と、ケーシング２０内に鉛直方向に沿って配置され、スクロール圧縮機構６０を駆動するクランクシャフト８０と、ケーシング２０内の下部に設けられ、クランクシャフト８０及びスクロール圧縮機構６０に供給される油を貯留する油溜まり空間Ｓｏと、油溜まり空間Ｓｏに流入する油を貯留自在に貯留する中空の油貯留部材１９０とを備える。ここで、油貯留部材１９０は、上部に形成された流入開口１９１と、下部に形成された流出開口１９２と、流出開口１９２に設けられた、油の逆流を抑制する逆流抑制部材１９３とを有する。【選択図】図３
2017166433.tif 000002
【特許請求の範囲】
【請求項１】
ケーシング（２０）と、
前記ケーシング内の上部に配置された圧縮機構（６０）と、
前記ケーシング内に鉛直方向に沿って配置され、前記圧縮機構を駆動する駆動軸（８０）と、
前記ケーシング内の下部に設けられ、前記駆動軸及び前記圧縮機構に供給される油を貯留する油溜まり空間（Ｓｏ）と、
前記油溜まり空間に流入する油を貯留自在に貯留する中空の油貯留部材（１９０）と、
を備えた圧縮機（１０）であって、
前記油貯留部材は、
上部に形成された流入開口（１９１）と、
下部に形成された流出開口（１９２）と、
前記流出開口に設けられた、油の逆流を抑制する逆流抑制部材（１９３）と、
を有する、圧縮機。
【請求項２】
前記油貯留部材は、油の流入を防ぐ上面部（１９０ｕ）を有し、
前記流入開口は、上部側方に形成されている、
請求項１に記載の圧縮機。
【請求項３】
前記油貯留部材は、前記油溜まり空間内に設置される中空タンクである、
請求項１又は２に記載の圧縮機。
【請求項４】
前記ケーシング内の下部に設けられ、前記駆動軸を軸支する下部軸受（９０）と、
前記下部軸受を固定する下部ハウジング（１４０）と、をさらに備え、
前記中空タンクは、前記下部ハウジングに取り付けられる、
請求項３に記載の圧縮機。
【請求項５】
前記ケーシング内の下部に設けられ、前記駆動軸を軸支する下部軸受と、
前記下部軸受を固定する下部ハウジングと、
前記下部ハウジングに固定され、前記駆動軸に連通するオイルピックアップ（９５）と、
をさらに備え、
前記中空タンクは、前記オイルピックアップに取り付けられる、
請求項３に記載の圧縮機。
【請求項６】
前記中空タンクは、圧入により取り付けられる、
請求項４又は５に記載の圧縮機。
【請求項７】
前記中空タンクは、回転機構（１９５）を有し、前記回転機構を介して取り付けられる、
請求項４又は５に記載の圧縮機。
【請求項８】
前記中空タンクは、前記駆動軸よりも前記ケーシングの内壁寄りに錘（１９６）を有する、
請求項７に記載の圧縮機。
【請求項９】
前記油貯留部材は、前記ケーシングの内壁に溶接される中空タンクである、
請求項３に記載の圧縮機。
【請求項１０】
前記ケーシングには第１開口（２２１）及び第２開口（２２２）が形成され、
前記油貯留部材は、ケーシングの外部に取り付けられ、前記流入開口及び前記流出開口のそれぞれが前記第１開口及び前記第２開口に連通する、
請求項１又は２に記載の圧縮機。
【発明の詳細な説明】
【技術分野】
【０００１】
本発明は、圧縮機に関する。
【背景技術】
【０００２】
従来、圧縮機の底部にある油溜まりから給油口が露出し、給油口に冷媒ガスが吸入されることがある。給油口に冷媒ガスが吸入されると、圧縮機の摺動部や軸受に対する給油が適切に行われなくなる。例えば、圧縮機が揺動した場合には、給油口が油溜まりから露出して、給油の信頼性が損なわれることがある。これに対し、オイルピックアップの先端を鉛直下向きに移動するようにして、油溜まりから給油口が露出するのを防止する圧縮機が考案されている（例えば、特許文献１（特開２０１１−２６９８９号公報））。
【発明の概要】
【発明が解決しようとする課題】
【０００３】
上述した特許文献１に記載の圧縮機は、下部軸受のボス部にベアリングを介して給油管を接続する機構である。このような機構は、揺動による給油口の露出に対しては一定の効果を有するが、油面が低下した場合に、ベアリングが油溜まりから露出することがある。そのため、油面が低下した場合には、ベアリングの回転部の隙間から冷媒ガスが吸入されてしまい、圧縮機構等への適切な給油が行われなくなる。また、特許文献１に記載の圧縮機では、スロッシングにより油面が変化した場合には、油溜りから給油口が露出することがある。そのため、スロッシングにより油面が低下した場合にも、圧縮機構等への適切な給油が行われないことがある。
【０００４】
本発明の課題は、油面の状態が変化した場合でも、給油の信頼性の高い圧縮機を提供することである。
【課題を解決するための手段】
【０００５】
本発明の第１観点に係る圧縮機は、ケーシングと、ケーシング内の上部に配置された圧縮機構と、ケーシング内に鉛直方向に沿って配置され、圧縮機構を駆動する駆動軸と、ケーシング内の下部に設けられ、駆動軸及び圧縮機構に供給される油を貯留する油溜まり空間と、油溜まり空間に流入する油を貯留自在に貯留する中空の油貯留部材と、を備える。ここで、油貯留部材は、上部に形成された流入開口と、下部に形成された流出開口と、流出開口に設けられた、油の逆流を抑制する逆流抑制部材と、を有する。
【０００６】
第１観点に係る圧縮機では、油貯留部材の流出開口から流出した油の逆流が阻止されるので、油貯留部材の中空の容積に応じて、油溜まり空間の油面の高さを上昇できる。これにより、圧縮機の揺動やスロッシングなどにより油面の状態が変化した場合でも、油溜まりから給油口が露出するのを防止できる。結果として、給油の信頼性の高い圧縮機を提供できる。
【０００７】
本発明の第２観点に係る圧縮機は、油貯留部材が、油の流入を防ぐ上面部を有し、流入開口が、上部側方に形成される。
【０００８】
第２観点に係る圧縮機では、循環された油が上面部から流入するのを防ぐことができる。結果として、油貯留部材の中空容積に応じて、油溜まり空間の油面の高さを上昇できる。
【０００９】
本発明の第３観点に係る圧縮機は、油貯留部材が、油溜まり空間内に設置される中空タンクである。
【００１０】
第３観点に係る圧縮機では、油貯留部材が、油溜まり空間内に設置される中空タンクであるので、簡易な構成で油溜まり空間の油面を上昇できる。
【００１１】
本発明の第４観点に係る圧縮機は、ケーシング内の下部に設けられ、駆動軸を軸支する下部軸受と、下部軸受を固定する下部ハウジングと、をさらに備える。ここで、中空タンクは、下部ハウジングに取り付けられる。
【００１２】
第４観点に係る圧縮機では、中空タンクが下部ハウジングに取り付けられるので、ケーシング内に中空タンクを容易に設置できる。
【００１３】
本発明の第５観点に係る圧縮機は、ケーシング内の下部に設けられ、駆動軸を軸支する下部軸受と、下部軸受を固定する下部ハウジングと、下部ハウジングに固定され、駆動軸に連通するオイルピックアップと、をさらに備える。ここで、中空タンクは、オイルピックアップに取り付けられる。
【００１４】
第５観点に係る圧縮機では、中空タンクがオイルピックアップに取り付けられるので、ケーシング内に中空タンクを容易に設置できる。
【００１５】
本発明の第６観点に係る圧縮機は、中空タンクが、圧入により取り付けられる。
【００１６】
第６観点に係る圧縮機では、中空タンクが圧入により取り付けられるので、ケーシング内に中空タンクを容易に設置できる。
【００１７】
本発明の第７観点に係る圧縮機は、中空タンクが、回転機構を有し、回転機構を介して取り付けられる。
【００１８】
第７観点に係る圧縮機では、中空タンクが回転機構を介して取り付けられるので、圧縮機が揺動した場合に、中空タンクが油溜まり空間の底部に移動するので、油溜まりに浸漬した中空タンクの容積相当分だけ油面を高くすることができる。
【００１９】
本発明の第８観点に係る圧縮機は、中空タンクが、駆動軸よりもケーシングの内壁寄りに錘を有する。
【００２０】
第８観点に係る圧縮機では、中空タンクが錘を有しているので、圧縮機が揺動した場合でも、自重により中空タンクを油溜まり空間の底部に移動させることができる。
【００２１】
本発明の第９観点に係る圧縮機は、油貯留部材が、ケーシングの内壁に溶接される中空タンクである。
【００２２】
第９観点に係る圧縮機では、中空タンクがケーシングの内壁に溶接されるので、ケーシング内に中空タンクを容易に設置できる。
【００２３】
本発明の第１０観点に係る圧縮機は、ケーシングに第１開口及び第２開口が形成され、油貯留部材が、ケーシングの外部に取り付けられ、流入開口及び流出開口のそれぞれが第１開口及び第２開口に連通するものである。
【００２４】
第１０観点に係る圧縮機では、油貯留部材がケーシング外部に取り付けられるので、充填できる油量を増やすことができる。また、圧縮機のケーシング及びその内部の構造を考慮せずに油貯留部材を取り付けることができる。
【発明の効果】
【００２５】
本発明に係る圧縮機は、揺動やスロッシングなどにより油面の状態が変化した場合でも、油溜まりから給油口が露出するのを防止できる。よって、本発明によれば、給油の信頼性の高い圧縮機を提供できる。
【図面の簡単な説明】
【００２６】
【図１】本発明の第１実施形態に係るスクロール圧縮機１０が採用される空気調和装置１の概要図である。
【図２】同実施形態に係るスクロール圧縮機１０の縦断面の構成を示す模式図である。
【図３】同実施形態に係るスクロール圧縮機１０の下部の構成を示す一部拡大図である。
【図４】同実施形態に係るスクロール圧縮機１０における冷凍機油Ｏの循環を説明するための図である。
【図５】同実施形態に係るスクロール圧縮機１０が揺動したときの状態を示す模式図である。
【図６】従来のスクロール圧縮機でスロッシングが生じたときの状態を示す模式図である。
【図７】変形例１Ａに係るスクロール圧縮機１０の下部の構成を示す一部拡大図である。
【図８】変形例１Ａに係るスクロール圧縮機１０に錘１９６を追加したときの構成を示す一部拡大図である。
【図９】変形例１Ｂに係るスクロール圧縮機１０の縦断面の構成を示す模式図である。
【図１０】変形例１Ｃに係るスクロール圧縮機１０の縦断面の構成を示す模式図である。
【図１１】本発明の第２実施形態に係るスクロール圧縮機１０Ａの縦断面の構成を示す模式図である。
【図１２】同実施形態に係るスクロール圧縮機１０Ａの下部の構成を示す一部拡大図である。
【発明を実施するための形態】
【００２７】
＜第１実施形態＞
本発明の圧縮機の第１実施形態に係るスクロール圧縮機１０を、図面を参照しながら説明する。なお、下記の実施形態に係るスクロール圧縮機１０は、本発明の圧縮機の一例にすぎず、本発明の趣旨を逸脱しない範囲で適宜変更可能である。
【００２８】
（１）スクロール圧縮機が使用される空気調和装置の概要
図１は本発明の第１実施形態に係るスクロール圧縮機１０が採用される空気調和装置１の概要図である。ここでは、冷房運転専用の空気調和装置が示しているが、スクロール圧縮機１０が採用される空気調和装置は、暖房運転専用であってもよく、冷房運転および暖房運転の両方が実施可能なものであってもよい。
【００２９】
空気調和装置１は、主として、スクロール圧縮機１０を有する室外ユニット２と、室内ユニット３と、室外ユニット２及び室内ユニット３を接続する液冷媒連絡配管４およびガス冷媒連絡配管５とを有する。室内ユニット３は、室内熱交換器３ａを有する。室外ユニット２は、アキュムレータ６と、スクロール圧縮機１０と、室外熱交換器７と、膨張弁８とを主に有する。これらの機器が、冷媒配管により図１のように接続されて、冷媒回路１００が構成される。
【００３０】
スクロール圧縮機１０は、吸入管２３を介して吸入した冷媒を、後述する圧縮室Ｓｃで圧縮し、圧縮後の冷媒を吐出管２４から吐出する。
【００３１】
（２）スクロール圧縮機の詳細説明
図２は本発明の第１実施形態に係るスクロール圧縮機１０の縦断面の構成を示す模式図である。
【００３２】
スクロール圧縮機１０は、図２に示されるように、ケーシング２０と、固定スクロール３０を含むスクロール圧縮機構６０と、駆動モータ７０と、クランクシャフト８０と、下部軸受９０と、を備える。
【００３３】
スクロール圧縮機１０について以下に詳述する。なお、以下の説明では、構成部材の位置関係等を説明するため、「上」、「下」等の表現を用いる場合がある。ここでは、図２の矢印Ｕの方向を上、矢印Ｕと逆方向を下と呼ぶ。また、以下の説明では、「垂直」、「水平」、「縦」、「横」等の表現を用いる場合があるが、上下方向を垂直方向かつ縦方向とする。
【００３４】
（２−１）ケーシング
スクロール圧縮機１０は、縦長円筒状のケーシング２０を有する。ケーシング２０は、上下が開口した略円筒状の円筒部材（胴体部）２１と、円筒部材２１の上端および下端にそれぞれ設けられた上蓋２２ａおよび下蓋２２ｂとを有する。円筒部材２１と、上蓋２２ａおよび下蓋２２ｂとは、気密を保つように溶接により固定される。
【００３５】
ケーシング２０には、スクロール圧縮機構６０、駆動モータ７０、クランクシャフト８０、および下部軸受９０を含むスクロール圧縮機１０の構成機器が収容される。スクロール圧縮機構６０は、円筒部材２１内の上部に配置される。また、ケーシング２０の下部には油溜まり空間Ｓｏが形成される。油溜まり空間Ｓｏには、スクロール圧縮機構６０等を潤滑するための冷凍機油Ｏが溜められる。
【００３６】
ケーシング２０の上部には、ガス冷媒を吸入し、スクロール圧縮機構６０にガス冷媒を供給する吸入管２３が、上蓋２２ａを貫通して設けられる。吸入管２３の下端は、固定スクロール３０の吸入接続口３４ｅに接続される。これにより、吸入管２３は、後述するスクロール圧縮機構６０の圧縮室Ｓｃと連通する。吸入管２３には、スクロール圧縮機１０による圧縮前の、冷凍サイクルにおける低圧の冷媒が流入する。吸入管２３の更なる詳細構成については後述する。
【００３７】
ケーシング２０の円筒部材２１の中間部には、ケーシング２０外に吐出される冷媒が通過する吐出管２４が設けられる。具体的には、吐出管２４は、ケーシング２０の内部の吐出管２４の端部が、スクロール圧縮機構６０のハウジング６１の下方に形成された高圧空間Ｓ１に突き出すように配置される。吐出管２４から、スクロール圧縮機構６０による圧縮後の、冷凍サイクルにおける高圧の冷媒が流出する。
【００３８】
（２−２）スクロール圧縮機構
スクロール圧縮機構６０は、図２に示されるように、主に、ハウジング６１と、ハウジング６１の上方に配置される固定スクロール３０と、固定スクロール３０と組み合わされて圧縮室Ｓｃを形成する可動スクロール４０と、を有する。
【００３９】
（２−２−１）固定スクロール
固定スクロール３０は、図２に示されるように、平板状の固定側鏡板３２と、固定側鏡板３２の前面（図２における下面）から突出する渦巻状の固定側ラップ３３と、固定側ラップ３３を囲む外縁部３４とを有する。
【００４０】
固定側鏡板３２の中央部には、スクロール圧縮機構６０の圧縮室Ｓｃに連通する非円形形状の吐出口３２ａが、固定側鏡板３２を厚さ方向に貫通して形成される。圧縮室Ｓｃで圧縮された冷媒は、吐出口３２ａから吐出され、固定スクロール３０およびハウジング６１に形成された図示しない冷媒通路を通過して、高圧空間Ｓ１へ流入する。
【００４１】
固定スクロール３０の外縁部３４には吸入接続口３４ｅが設けられる。この吸入接続口３４ｅを介して、吸入管２３から流入する冷媒がスクロール圧縮機構６０の圧縮室Ｓｃに導入される。また、吸入接続口３４ｅには、冷媒の逆流を防ぐ逆止弁３４ｖが設けられる。
【００４２】
（２−２−２）可動スクロール
可動スクロール４０は、図２に示されるように、平板状の可動側鏡板４１と、可動側鏡板４１の前面（図２における上面）から突出する渦巻状の可動側ラップ４２と、可動側鏡板４１の背面（図２における下面）から突出する、円筒状に形成されたボス部４３とを有する。
【００４３】
固定スクロール３０の固定側ラップ３３と、可動スクロール４０の可動側ラップ４２とは、固定側鏡板３２の下面と可動側鏡板４１の上面とが対向する状態で組み合わされる。隣接する固定側ラップ３３と可動側ラップ４２との間には、圧縮室Ｓｃが形成される。可動スクロール４０が後述するように固定スクロール３０に対して公転することで、圧縮室Ｓｃの体積が周期的に変化し、スクロール圧縮機構６０において、冷媒の吸入、圧縮、吐出が行われる。
【００４４】
ボス部４３は、上端の塞がれた円筒状部分である。ボス部４３の中空部に、後述するクランクシャフト８０の偏心部８１が挿入されることで、可動スクロール４０とクランクシャフト８０とが連結される。ボス部４３は、可動スクロール４０とハウジング６１との間に形成される偏心部空間６２に配置される。偏心部空間６２は、後述するクランクシャフト８０の給油経路８３等を介して高圧空間Ｓ１と連通しており、偏心部空間６２には高い圧力が作用する。この圧力により、偏心部空間６２内の可動側鏡板４１の下面は、固定スクロール３０に向かって上方に押される。この力により、可動スクロール４０は、固定スクロール３０に密着する。
【００４５】
可動スクロール４０は、オルダムリング５８を介してハウジング６１に支持される。オルダムリング５８は、可動スクロール４０の自転を防止し、公転させる部材である。オルダムリング５８を用いることで、クランクシャフト８０が回転すると、ボス部４３においてクランクシャフト８０と連結された可動スクロール４０が、固定スクロール３０に対して自転することなく公転し、圧縮室Ｓｃ内の冷媒が圧縮される。
【００４６】
（２−２−３）ハウジング
ハウジング６１は、円筒部材２１に圧入され、その外周面において周方向の全体に亘って円筒部材２１と固定される。また、ハウジング６１と固定スクロール３０とは、ハウジング６１の上端面が、固定スクロール３０の外縁部３４の下面と密着するように、図示しないボルト等により固定される。
【００４７】
ハウジング６１には、上面中央部に凹むように配置される凹部６１ａと、凹部６１ａの下方に配置される軸受部６１ｂとが形成される。
【００４８】
凹部６１ａは、可動スクロール４０のボス部４３が配置される偏心部空間６２の側面を囲む。
【００４９】
軸受部６１ｂには、クランクシャフト８０の主軸８２を軸支する軸受６３が配置される。軸受６３は、軸受６３に挿入された主軸８２を回転自在に支持する。
【００５０】
（２−３）駆動モータ
駆動モータ７０は、円筒部材２１の内壁面に固定された環状のステータ７１と、ステータ７１の内側に、僅かな隙間（エアギャップ通路）を空けて回転自在に収容されたロータ７２とを有する。
【００５１】
ロータ７２は、円筒部材２１の軸心に沿って上下方向に延びるように配置されたクランクシャフト８０を介して可動スクロール４０と連結する。ロータ７２が回転することで、可動スクロール４０は、固定スクロール３０に対して公転する。
【００５２】
（２−４）クランクシャフト
クランクシャフト８０（駆動軸）は、円筒部材２１内に配置され、スクロール圧縮機構６０を駆動するものである。具体的には、クランクシャフト８０は、駆動モータ７０の駆動力を可動スクロール４０に伝達する。クランクシャフト８０は、円筒部材２１の軸心に沿って上下方向に延びるように配置され、駆動モータ７０のロータ７２と、スクロール圧縮機構６０の可動スクロール４０とを連結する。
【００５３】
クランクシャフト８０は、円筒部材２１の軸心と中心軸が一致する主軸８２と、円筒部材２１の軸心に対して偏心した偏心部８１とを有する。
【００５４】
偏心部８１は、前述したように可動スクロール４０のボス部４３に挿入される。
【００５５】
主軸８２は、ハウジング６１の軸受部６１ｂの軸受６３、および、後述する下部軸受９０により、回転自在に支持される。主軸８２は、軸受部６１ｂと下部軸受９０との間で、駆動モータ７０のロータ７２に連結する。
【００５６】
クランクシャフト８０の内部には、スクロール圧縮機構６０等に冷凍機油Ｏを供給するための給油経路８３が形成される。主軸８２の下端は、ケーシング２０の下部に形成された油溜まり空間Ｓｏ内に位置し、油溜まり空間Ｓｏの冷凍機油Ｏは、給油経路８３を通じてスクロール圧縮機構６０等に供給される。
【００５７】
（２−５）下部軸受
下部軸受９０は、円筒部材２１内の下部に設けられ、クランクシャフト８０を軸支するものである。具体的には、下部軸受９０は、駆動モータ７０の下方に配置される。また、下部軸受９０は、クランクシャフト８０の下端側の軸受を構成し、クランクシャフト８０の主軸８２を回転自在に支持する。
【００５８】
この下部軸受９０は、下部ハウジング１４０に固定される。また、下部ハウジング１４０には、クランクシャフト８０の給油経路８３に連通するオイルピックアップ９５が固定される。
【００５９】
（２−６）油貯留部材
図３は本実施形態に係るスクロール圧縮機１０の下部の構成を示す一部拡大図である。
【００６０】
油貯留部材１９０は、図３に示されるように、油溜まり空間Ｓｏに流入する油を貯留自在に貯留する中空の部材である。この油貯留部材１９０は、上部に形成された流入開口１９１と、下部に形成された流出開口１９２とを有する。ここで、流入開口１９１は、上部側方に形成される。また、油貯留部材１９０は、油の流入を防ぐ上面部１９０ｕを有する。また、流出開口１９２には、油の逆流を抑制する逆流抑制部材１９３が設けられる。逆流抑制部材１９３は、いわゆる逆止弁である。
【００６１】
このような油貯留部材１９０は、例えば、油溜まり空間Ｓｏ内に設置される中空タンクにより実現される。中空タンクは、オイルピックアップ９５に取り付けられる。なお、図３に示される中空タンクは、圧入によりオイルピックアップ９５に取り付けられている。
【００６２】
（３）スクロール圧縮機の動作
（３−１）概要
上述したスクロール圧縮機１０の動作について説明する。
【００６３】
まず、駆動モータ７０が起動する。これにより、ロータ７２がステータ７１に対して回転し、ロータ７２が固定されたクランクシャフト８０が回転する。クランクシャフト８０が回転すると、クランクシャフト８０に連結された可動スクロール４０が固定スクロール３０に対して公転する。そして、冷凍サイクルにおける低圧のガス冷媒が、吸入管２３を通って、圧縮室Ｓｃの周縁側から、圧縮室Ｓｃに吸引される。可動スクロール４０が公転するのに従い、吸入管２３と圧縮室Ｓｃとが連通しなくなる。そして、圧縮室Ｓｃの容積が減少するのに伴って、圧縮室Ｓｃの圧力が上昇し始める。
【００６４】
圧縮室Ｓｃ内の冷媒は、圧縮室Ｓｃの容積が減少するのに伴って圧縮され、最終的に高圧のガス冷媒となる。高圧のガス冷媒は、固定側鏡板３２の中心付近に位置する吐出口３２ａから吐出される。その後、高圧のガス冷媒は、固定スクロール３０およびハウジング６１に形成された図示しない冷媒通路を通過して、高圧空間Ｓ１へ流入する。高圧空間Ｓ１に流入した、スクロール圧縮機構６０による圧縮後の高圧のガス冷媒は、吐出管２４から吐出される。
【００６５】
（３−２）冷凍機油の循環
上述した一連の動作において、駆動モータ７０が起動すると、油溜まり空間Ｓｏに貯留された冷凍機油Ｏが、クランクシャフト８０の内部の給油経路８３を経由して、各種機構の潤滑油として供給される。詳しくは、クランクシャフト８０が回転すると、オイルピックアップ９５から冷凍機油Ｏが吸い上げられる。そして、この冷凍機油Ｏが給油経路８３を上昇し、ケーシング２０内の上部に配置されたスクロール圧縮機構６０等に供給される。スクロール圧縮機構６０等で潤滑油として使用された冷凍機油Ｏは、ケーシング２０内の下部に誘導されて油溜まり空間Ｓｏに戻される。この後は、再びオイルピックアップ９５から冷凍機油Ｏが吸い上げられ、スクロール圧縮機１０内で冷凍機油Ｏが循環的に利用される。
【００６６】
ところで、クランクシャフト８０の駆動直後は、図４（ａ）に示されるように、油溜まり空間Ｓｏが冷凍機油Ｏで満たされており、油貯留部材１９０内も冷凍機油Ｏで充填された状態である。クランクシャフト８０の駆動に伴い、冷凍機油Ｏが、油溜まり空間Ｓｏから給油経路８３に吸い上げられるので、油溜まり空間Ｓｏ内の冷凍機油Ｏが一時的に減少する。その後しばらくすると、スクロール圧縮機構６０等に供給された冷凍機油Ｏが油溜まり空間Ｓｏに戻ってくる。
【００６７】
冷凍機油Ｏが油溜まり空間Ｓｏに戻ってきたとき、油貯留部材１９０の上面は上面部１９０ｕにより閉塞しているので、油貯留部材１９０への冷凍機油Ｏの上方からの流入が阻止される。また、油貯留部材１９０は逆流抑制部材１９３を有しているので、油貯留部材１９０への冷凍機油Ｏの下方からの流入も阻止される。この結果、図４（ｂ）に示されるように、油貯留部材１９０の中空の容積分だけ冷凍機油Ｏが油溜まり空間Ｓｏの他の空間に貯留されることになる。換言すると、油貯留部材１９０が存しない場合に比して、油貯留部材１９０の中空の容積に応じて、油溜まり空間Ｓｏの油面が高さｈ上昇することになる。
【００６８】
（４）特徴
（４−１）
本実施形態に係るスクロール圧縮機１０は、ケーシング２０と、ケーシング２０内の上部に配置されたスクロール圧縮機構６０と、ケーシング２０内に鉛直方向に沿って配置され、スクロール圧縮機構６０を駆動するクランクシャフト８０と、ケーシング２０内の下部に設けられ、クランクシャフト８０及びスクロール圧縮機構６０に供給される油を貯留する油溜まり空間Ｓｏと、油溜まり空間Ｓｏに流入する油を貯留自在に貯留する中空の油貯留部材１９０とを備える。ここで、油貯留部材１９０は、上部に形成された流入開口１９１と、下部に形成された流出開口１９２と、流出開口１９２に設けられた、油の逆流を抑制する逆流抑制部材１９３とを有する。
【００６９】
したがって、上記構成によれば、油貯留部材１９０の流出開口１９２から流出した油の逆流が阻止されるので、油貯留部材１９０の中空の容積に応じて、油溜まり空間Ｓｏの油面の高さを上昇できる。これにより、図５に示されるように、スクロール圧縮機１０の揺動等により油面の状態が変化した場合でも、油溜まり空間Ｓｏから給油口が露出するのを防止できる。
【００７０】
また、従来の構成では、図６に示されるように、スロッシングが生じた場合には、油溜まり空間Ｓｏから給油口が露出することがある。これに対し、本実施形態に係るスクロール圧縮機１０では、油面自体が上昇する構成であるので、スロッシングが生じた場合でも、油溜まり空間Ｓｏから給油口が露出するのを防止できる。
【００７１】
要するに、本実施形態に係るスクロール圧縮機１０は、給油の信頼性の高い構成を具備している。
【００７２】
（４−２）
また、本実施形態に係るスクロール圧縮機１０は、油貯留部材１９０が、油の流入を防ぐ上面部１９０ｕを有し、流入開口１９１が、上部側方に形成されている。この構成により、循環された油が上面部１９０ｕから流入するのを防ぐことができる。結果として、油貯留部材１９０の中空容積に応じて、油溜まり空間Ｓｏの油面の高さを上昇できる。
【００７３】
（４−３）
また、本実施形態に係るスクロール圧縮機１０は、油貯留部材１９０が、油溜まり空間Ｓｏ内に設置される中空タンクである。よって、簡易な構成で油溜まり空間Ｓｏの油面を上昇できる。
【００７４】
（４−４）
また、本実施形態に係るスクロール圧縮機１０は、ケーシング２０内の下部に設けられ、クランクシャフト８０を軸支する下部軸受９０と、下部軸受９０を固定する下部ハウジング１４０と、下部ハウジング１４０に固定され、クランクシャフト８０に連通するオイルピックアップ９５と、をさらに備える。そして、中空タンクである油貯留部材１９０が、オイルピックアップ９５に取り付けられる。このように、中空タンクがオイルピックアップ９５に取り付けられるので、ケーシング２０内に中空タンクを容易に設置できる。
【００７５】
（４−５）
また、本実施形態に係るスクロール圧縮機１０は、中空タンクである油貯留部材１９０が、圧入によりオイルピックアップ９５に取り付けられる。よって、ケーシング２０内に油貯留部材１９０を容易に設置できる。
【００７６】
（５）変形例
（５−１）変形例１Ａ
上記実施形態では、中空タンクの油貯留部材１９０が、圧入によりオイルピックアップ９５に取り付けられる構成としたが、中空タンクは、図７に示されるように、回転機構１９５を有し、回転機構１９５を介して取り付けられる構成でもよい。これにより、スクロール圧縮機１０が揺動した場合に、中空タンクが油溜まり空間Ｓｏの底部に移動するので、油溜まり空間Ｓｏに浸漬した中空タンクの容積相当分だけ油面を高くすることができる。
【００７７】
さらに、中空タンクの油貯留部材１９０は、クランクシャフト８０よりもケーシング２０の内壁寄りに錘１９６を有する構成であってもよい。このような構成であれば、図８に示されるように、スクロール圧縮機１０が揺動した場合でも、自重により中空タンクを油溜まり空間Ｓｏの底部に移動させることができる。
【００７８】
（５−２）変形例１Ｂ
上記実施形態において、中空タンクの油貯留部材１９０が、オイルピックアップ９５に取り付けられる構成としたが、図９に示されるように、中空タンクが、下部ハウジング１４０に取り付けられる構成であってもよい。このような構成では、中空タンクが下部ハウジング１４０に取り付けられるので、ケーシング２０内に油貯留部材１９０を容易に設置できる。
【００７９】
なお、上述した構成と同様に、中空タンクは、圧入により下部ハウジング１４０に取り付けられてもよいし、回転機構を介して取り付けられてもよい。さらに、回転機構を介して取り付けられる場合は、クランクシャフト８０よりもケーシング２０の内壁寄りに錘を有する構成を採用してもよい。
【００８０】
（５−３）変形例１Ｃ
上記実施形態及び各変形例において、中空タンクの油貯留部材１９０が、圧入又は回転機構を介して取り付けられる構成としたが、図１０に示されるように、ケーシング２０の内壁に溶接されて取り付けられる構成であってもよい。この構成であっても、ケーシング２０内に中空タンクを容易に設置できる。
【００８１】
（５−４）変形例１Ｄ
なお、本実施形態に係る油貯留部材１９０は、任意のスクロール圧縮機に適用可能である。例えば、中間圧冷媒をインジェクションする形態のスクロール圧縮機にも適用可能である。
【００８２】
（５−５）変形例１Ｅ
なお、本実施形態に係る油貯留部材１９０は、半月状の中空タンクを採用することができる。これ以外にも、オイルピックアップ９５を囲う円筒形状の中空容器でもよい。なお、円筒形状の中空容器の場合には、底面に逆流抑制部材１９３が分散して設けられる。また、中空タンクとケーシング２０の内壁との間は、冷凍機油Ｏを下方に誘導する隙間が設けられていることが好ましい。
【００８３】
＜第２実施形態＞
以下、既に説明した部分と同一の部分には略同一の符号を付し、重複した説明を省略する。他の実施形態と区別するために、本実施形態では添え字Ａを付すことがある。
【００８４】
図１１は本発明の第２実施形態に係るスクロール圧縮機１０Ａの縦断面の構成を示す模式図である。本実施形態に係るスクロール圧縮機１０Ａでは、ケーシング２０の下蓋２２ｂに、第１開口２２１及び第２開口２２２が形成される。また、油貯留部材１９０Ａは、ケーシング２０の外部に取り付けられる。そして、流入開口１９１及び流出開口１９２のそれぞれが第１開口２２１及び第２開口２２２に連通する。
【００８５】
このように、本実施形態に係るスクロール圧縮機１０Ａでは、油貯留部材１９０Ａがケーシング２０の外部に取り付けられるので、図１２に示されるように、充填できる冷凍機油Ｏの油量を増やすことができる。また、スクロール圧縮機１０Ａのケーシング２０の形状及び内部構造等を考慮せずに油貯留部材１９０Ａを取り付けることができる。
【００８６】
＜付記＞
なお、本発明は、上記実施形態そのままに限定されるものではない。本発明は、実施段階ではその要旨を逸脱しない範囲で構成要素を変形して具体化できる。また、本発明は、上記実施形態に開示されている複数の構成要素の適宜な組み合わせにより種々の発明を形成できるものである。例えば、実施形態に示される全構成要素から幾つかの構成要素は削除してもよいものである。さらに、異なる実施形態に構成要素を適宜組み合わせてもよいものである。
【符号の説明】
【００８７】
１０    スクロール圧縮機
１０Ａ  スクロール圧縮機
２０    ケーシング
２２ｂ  下蓋
６０    スクロール圧縮機構
８０    クランクシャフト
９０    下部軸受
９５    オイルピックアップ
１４０  下部ハウジング
１９０  油貯留部材
１９０Ａ油貯留部材
１９０ｕ上面部
１９１  流入開口
１９２  流出開口
１９３  逆流抑制部材
１９５  回転機構
１９６  錘
２２１  第１開口
２２２  第２開口
Ｓｏ  油溜まり空間
【先行技術文献】
【特許文献】
【００８８】
【特許文献１】特開２０１１−２６９８９号公報
【図１】
2017166433.tif 000003
【図２】
2017166433.tif 000004
【図３】
2017166433.tif 000005
【図４】
2017166433.tif 000006
【図５】
2017166433.tif 000007
【図６】
2017166433.tif 000008
【図７】
2017166433.tif 000009
【図８】
2017166433.tif 000010
【図９】
2017166433.tif 000011
【図１０】
2017166433.tif 000012
【図１１】
2017166433.tif 000013
【図１２】
2017166433.tif 000014